(57)【要約】【課題】組立作業性を向上させるとともに外観を向上させた照明器具を提供する。【解決手段】照明器具は、前面側が開口する横長箱状のボディ１と、後面側が開口しボディ１の前面側に被着される横長箱状のカバー２と、カバー２の長手方向両端部に設けた開口部２ｃを通して前面側に露出したランプソケット５に装着され、カバー２の前面側に配設される直管型の蛍光ランプ４と、蛍光ランプ４の前側及び下側を覆うようにカバー２に取着される横長の略Ｌ字状のセード３とを備えている。セード３は複数の分割セード３ａを連結して構成され、隣接する分割セード３ａ、３ａの間は連結金具６により一体的に連結固定されている。【選択図】図１
2009004187.tif 000002
【特許請求の範囲】
【請求項１】
直管型のランプを保持する器具本体と、ランプの発光面に対向するように器具本体に取着されるセードとを備え、当該セードは複数の分割セードを連結して構成され、隣接する分割セードと分割セードとの間に配設されて分割セード同士を一体的に連結固定する連結部材を設けたことを特徴とする照明器具。
【請求項２】
連結部材は、セードの長手方向に垂直な断面の形状がセードに沿った形状に形成され、セードは、連結部材を長手方向に沿ってガイドするガイド部を有し、連結部材をガイド部にガイドさせた状態において、撓ませることによって発生するばね反力により連結部材をガイド部に弾接させる弾性ばね部を当該連結部材に設けたことを特徴とする請求項１記載の照明器具。
【請求項３】
各分割セードは、１本のランプに対応する長さ寸法に形成され、各分割セードにおいて、他の分割セードが連結されない場合に、他の分割セードが連結されない側の端部に装着されるエンドキャップを設けたことを特徴とする請求項１記載の照明器具。
【発明の詳細な説明】
【技術分野】
【０００１】
本発明は、複数に分割された分割セードを用いた照明器具に関するものである。
【背景技術】
【０００２】
従来より、隣接するカバー間に配置されて下側から両カバーを支持する支持カバーを用いた照明器具があった（例えば特許文献１参照）。この照明器具は、一直線上に配設された複数本の直管型ランプを有し、各直管型ランプの下側には透光性のカバーがそれぞれ配設されている。また、隣接するカバーとカバーの間には支持カバーが配設されるとともに器具本体に固定されており、各カバーは支持カバーによりそれぞれ支持されている。
【特許文献１】実開平７−１６３１５号公報（段落［００１１］、及び、第５、６図）
【発明の開示】
【発明が解決しようとする課題】
【０００３】
上述の特許文献１に示した照明器具では、カバー自体は器具本体に固定されていないため、カバーを取付ける際にカバーを保持した状態で支持カバーを器具本体に固定する必要があり、照明器具の組立作業性が悪かった。
【０００４】
本発明は上記問題点に鑑みて為されたものであり、その目的とするところは、組立作業性を向上させるとともに外観を向上させた照明器具を提供することにある。
【課題を解決するための手段】
【０００５】
請求項１の発明は、直管型のランプを保持する器具本体と、ランプの発光面に対向するように器具本体に取着されるセードとを備え、当該セードは複数の分割セードを連結して構成され、隣接する分割セードと分割セードとの間に配設されて分割セード同士を一体的に連結固定する連結部材を設けたことを特徴とする。
【０００６】
請求項２の発明は、連結部材は、セードの長手方向に垂直な断面の形状がセードに沿った形状に形成され、セードは、連結部材を長手方向に沿ってガイドするガイド部を有し、連結部材をガイド部にガイドさせた状態において、撓ませることによって発生するばね反力により連結部材をガイド部に弾接させる弾性ばね部を当該連結部材に設けたことを特徴とする。
【０００７】
請求項３の発明は、各分割セードは、１本のランプに対応する長さ寸法に形成され、各分割セードにおいて、他の分割セードが連結されない場合に、他の分割セードが連結されない側の端部に装着されるエンドキャップを設けたことを特徴とする。
【発明の効果】
【０００８】
請求項１の発明によれば、連結部材を用いることによって隣接する分割セード同士を一体的に連結固定することができるので、一体化させたセードを器具本体に取付けるだけでよく、セードの器具本体への取付作業性を向上させることができるという効果がある。
【０００９】
請求項２の発明によれば、連結部材に弾性ばね部を設けており、この弾性ばね部を撓ませることによって発生するばね反力により連結部材を分割セードのガイド部に弾接させることができるので、隣接する分割セード同士を容易に連結固定することができ、分割セードの連結作業性を向上させることができるという効果がある。また、連結部材をセードの形状に沿った形状に形成しているので、分割セード同士を突き合わせる際に突合せズレを小さくすることができ、また分割セード間の隙間が連結部材により覆われているので、突合せ部分からの光漏れを抑えることができるという効果もある。
【００１０】
請求項３の発明によれば、各分割セードにおいて、他の分割セードが連結されない場合に、他の分割セードが連結されない側の端部にエンドキャップを装着することによって、照明器具の外観を向上させることができるという効果がある。
【発明を実施するための最良の形態】
【００１１】
本発明の実施形態を図１〜図５に基づいて説明する。本発明に係る照明器具Ａは、図２に示すように、例えば壁面７に取付けられ、上方を照明するための上面配光の照明器具として用いられる。
【００１２】
照明器具Ａは、前面側が開口する横長箱状のボディ１と、後面側が開口しボディ１の前面側に被着されるカバー２と、カバー２の前面側に配設される直管型の蛍光ランプ４と、蛍光ランプ４の前側及び下側を覆うようにカバー２に取着されるセード３とを備えている。
【００１３】
ボディ１は、図２に示すように前面側が開口する横長箱状のボディ本体１ａを有し、ボディ本体１ａの長手方向両端側には、蛍光ランプ４が装着されるランプソケット５が装着面を前面側に向けた状態でそれぞれ配置されている。また、ボディ本体１ａ内には、蛍光ランプ４に点灯電力を供給するための点灯回路１６及び端子台１７が収納されており、壁面７の裏側に先行配線された電源線８がボディ本体１ａの底面に設けた配線孔１ｃを通してボディ本体１ａ内に導入され、端子台１７に接続されている。尚、点灯回路１６の入力端子と端子台１７の間は図示しない電線により接続されており、点灯回路１６には電源線８を介して商用電源が供給される。点灯回路１６の出力端子は、図示しない電線を介して各ランプソケット５に接続されており、蛍光ランプ４にはランプソケット５を介して点灯回路１６から点灯電力が供給される。また、各ランプソケット５の内側位置には、カバー２を取付けるための固定ねじ１０が螺合するねじ孔１ｄがそれぞれ設けられ、さらにボディ本体１ａの底面において各ねじ孔１ｄよりも内側寄りには、ボディ１を壁面７に取付けるための固定ねじ（例えば、木ねじなど）９を挿通させる挿通孔１ｂがそれぞれ設けられている。
【００１４】
カバー２は、図２に示すように後面側が開口する横長箱状であってボディ本体１ａと略同寸法に形成されたカバー本体２ａを有し、カバー本体２ａの前面側には蛍光ランプ４の照射光を反射させる横長の反射面２ｂが設けられ、反射面２ｂの長手方向両端側にはカバー２をボディ１に取付けるための固定ねじ１０を挿通させる挿通孔２ｅがそれぞれ設けられている。また、カバー本体２ａの長手方向において反射面２ｂの両側には、各ランプソケット５を前面側に露出させるための開口部２ｃがそれぞれ設けられ、さらにカバー本体２ａの長手方向両端縁には前面側に延出するカバー片２ｄがそれぞれ一体に設けられている。ここに、ボディ１とカバー２とで器具本体が構成されている。
【００１５】
蛍光ランプ４は、図２に示すように直管状の発光管４ａを有し、発光管４ａにおいて両端寄りの外側面にはランプピン（図示せず）を側方に突出させた口金４ｂがそれぞれ設けられている。この蛍光ランプ４は、各口金４ｂをそれぞれ対応するランプソケット５に装着することで器具本体に取付けられる。
【００１６】
セード３は、複数（図２では２枚）の分割セード３ａを連結金具（連結部材）６により連結して構成されている。
【００１７】
分割セード３ａは、例えば金属製であって、図１及び図２に示すように横長の略矩形板状の主片３ｂと、主片３ｂの幅方向一端側の端縁から主片３ｂと略直交する方向に延出する側片３ｃとで略Ｌ字状に折曲形成されている。また、主片３ｂ及び側片３ｃの長手方向に沿う端縁には、略Ｌ字状に折曲形成されたガイド片３ｄがそれぞれ一体に設けられており、主片３ｂとガイド片３ｄの間、及び、側片３ｃとガイド片３ｄの間にはガイド溝３ｅがそれぞれ形成されている。尚、各ガイド溝３ｅは、後述する連結金具６を挿通できるように連結金具６の板厚よりもわずかに大きい幅寸法に設定されている。ここに、ガイド片３ｄとガイド溝３ｅとでガイド部が構成されている。
【００１８】
さらに、分割セード３ａの長手方向両端側には、連結金具６の位置決めをするための位置決め金具１２がそれぞれ取付けられている。この位置決め金具１２は、分割セード３ａの主片３ｂの幅方向に沿って配設される主片１２ａと、分割セード３ａの側片３ｃの幅方向に沿って配設される側片１２ｆとで略Ｌ字状に形成されており、主片１２ａ及び側片１２ｆには略コ字状の突部１２ｂ、１２ｃがそれぞれ突設されている。また、突部１２ｂ、１２ｃの中央部には、固定ねじ１４が螺合するねじ孔１２ｄ、１２ｅがそれぞれ設けられている。
【００１９】
連結金具６は、図３（ａ）に示すように略矩形板状の主片６ａと、主片６ａの長手方向一端側の端縁から主片６ａと略直交する方向に延出する側片６ｂとで略Ｌ字状に折曲形成されている。また、主片６ａにおいて幅方向一端側の側片６ｂ寄りには、略矩形状の弾性ばね片（弾性ばね部）６ｃが切り起こしにより形成されており、弾性ばね片６ｃには固定ねじ１３が螺合するねじ孔６ｄが設けられている。この弾性ばね片６ｃは、図３（ｂ）に示すように主片６ａに対して斜め上方に折り曲げられ、さらに先端部が主片６ａと略平行となるように折り曲げられている。尚、連結金具６は、上述した分割セード３ａに沿った形状（すなわち、主片３ｂ及び側片３ｃに沿った形状）に形成されている。
【００２０】
ここで、隣接する分割セード３ａを連結金具６を用いて連結固定する手順について図１及び図４に基づいて説明する。まず、一方（図１（ａ）の左側）の分割セード３ａの各ガイド溝３ｅ内に連結金具６の主片６ａ及び側片６ｂの端縁をそれぞれ差し込み、連結金具６をガイド溝３ｅに沿って左方向（図１（ａ）中のＢ方向）にスライドさせ、位置決め金具１２に連結金具６の左側面を当接させる。次に、他方（図１（ａ）の右側）の分割セード３ａの各ガイド溝３ｅ内に連結金具６の主片６ａ及び側片６ｂの反対側の端縁をそれぞれ差し込み、右側の分割セード３ａを左方向（図１（ａ）のＣ方向）にスライドさせ、位置決め金具１２に連結金具６の右側面を当接させる。その後、弾性ばね片６ｃのねじ孔６ｄに固定ねじ１３を螺挿すると、図４（ａ）に示すように固定ねじ１３の先端部が分割セード３ａの主片３ｂの上面に当接し、さらに固定ねじ１３を螺挿すると弾性ばね片６ｃが上方に移動する。この時、弾性ばね片６ｃのばね反力により連結金具６の右側の部位は下方（図４（ａ）中のＥ方向）に付勢され、一方、連結金具６の左側の部位は主片６ａと弾性ばね片６ｃの連結部位を支点として上方（図４（ａ）中のＦ方向）に付勢される。而して、連結金具６は、右側の分割セード３ａに対しては固定ねじ１３により押圧固定され、左側の分割セード３ａに対しては上方（図４（ｂ）中のＧ方向）への付勢力により主片６ａ及び側片６ｂの端縁がそれぞれ対応するガイド片３ｄに弾接し固定される。すなわち、連結金具６により左右両側の分割セード３ａが一体的に連結固定されるのである。
【００２１】
したがって、本実施形態において、連結金具６を用いることによって隣接する分割セード３ａ同士を一体的に連結固定することができるので、一体化させたセード３を器具本体（ボディ１及びカバー２）に取付けるだけでよく、セード３の器具本体への取付作業性を向上させることができる。また、連結金具６に設けた弾性ばね片６ｃに固定ねじ１３を螺挿して撓ませることによって発生するばね反力により連結金具６に付勢力を与え、連結金具６の端縁を分割セード３ａのガイド部（ガイド片３ｄ）に弾接させることができるので、隣接する分割セード３ａ同士を容易に連結固定することができ、分割セード３ａの連結作業性を向上させることができる。さらに、連結金具６を各分割セード３ａのガイド溝３ｅ内に差し込む際には、弾性ばね片６ｃを撓めていないので、連結金具６を小さい力でガイド溝３ｅ内に差し込むことができる。また、連結金具６をセード３（分割セード３ａ）の形状に沿った形状に形成しているので、分割セード３ａ同士を突き合わせる際に突合せズレを小さくすることができ、また分割セード３ａ間の隙間が連結金具６により覆われているので、突合せ部分からの光漏れを抑えることができる。
【００２２】
ここで、各分割セード３ａにおいて、他の分割セード３ａが連結されない場合には、図５に示すように他の分割セード３ａが連結されない側の端部にエンドキャップ１３を装着することで照明器具Ａの外観を向上させることができる。このエンドキャップ１３は、例えば合成樹脂成形品であって、分割セード３ａの主片３ｂの幅方向に沿って配設される主片１３ａと、分割セード３ａの側片３ｃの幅方向に沿って配設される側片１３ｂとで略Ｌ字状に形成され、主片１３ａ及び側片１３ｂの中間位置には側方に突出する接続片１３ｃ、１３ｄがそれぞれ一体に設けられている。また、接続片１３ｃ、１３ｄの先端側には、固定ねじ１４の先端部が係合する係合溝１３ｅがそれぞれ形成されている。一方、分割セード３ａ側には、位置決め金具１２の突部１２ｂと主片３ｂの間、及び、突部１２ｃと側片３ｃの間に接続片１３ｃ、１３ｄが挿入される挿入凹部１５がそれぞれ設けられている。
【００２３】
このエンドキャップ１３を分割セード３ａに取付ける場合には、分割セード３ａに対してエンドキャップ１３を右方向（図５（ａ）中のＨ方向）にスライドさせ、接続片１３ｃ、１３ｄをそれぞれ対応する挿入凹部１５内に挿入する。その後、固定ねじ１４を突部１２ｂ、１２ｃのねじ孔１２ｄ、１２ｅにそれぞれ螺挿すると、固定ねじ１４の先端部が接続片１３ｃ、１３ｄの係合溝１３ｅとそれぞれ係合し、図５（ｂ）に示すようにエンドキャップ１３が分割セード３ａに取付けられる。尚、この状態において主片１３ａ及び側片１３ｂの端縁部分がそれぞれ対応するガイド溝３ｅ内に挿入されている。
【００２４】
また、逆に固定ねじ１４を緩めると、固定ねじ１４の先端部と係合溝１３ｅとの係合状態が解除され、エンドキャップ１３を左方向（図５（ａ）中のＨ方向と反対方向）にスライドさせることで、エンドキャップ１３を容易に取り外すことができる。尚、各分割セード３ａは、組立前の状態では長手方向両端部にエンドキャップ１３がそれぞれ装着されており、他の分割セード３ａを連結する際には、他の分割セード３ａが連結される側の端部のエンドキャップ１３を取り外して連結金具６を取付けることになるが、エンドキャップ１３及び連結金具６はそれぞれ容易に着脱することができるので、エンドキャップ１３と連結金具６との間の付け替えを容易に行うことができる。
【００２５】
次に、照明器具Ａの組立手順について図２に基づいて説明する。まず、ボディ１の各挿通孔１ｂにそれぞれ固定ねじ９を挿通するとともに、各固定ねじ９を壁面７にねじ込みボディ１を壁面７に固定する。この時、電源線８を配線孔１ｃを通してボディ１内に導入し、端子台１７に接続する。次に、前面側からカバー２をボディ１に被着し、固定ねじ１０を挿通孔２ｅに挿通するとともにボディ１に設けたねじ孔１ｄに螺合してカバー２をボディ１に取付ける。この状態において各ランプソケット５は、開口部２ｃを通して前面側に露出している。さらに、前面側から蛍光ランプ４の各口金４ｂを対応するランプソケット５に装着して蛍光ランプ４を器具本体に取付ける。最後に、固定ねじ１１をセード３に設けた取付金具（図示せず）に挿通するとともにカバー２に設けたねじ孔（図示せず）に螺合させると、セード３がカバー２に取付けられ、照明器具Ａの組立が完了する。尚、組立状態において照明器具Ａの長手方向両端側は、カバー２のカバー片２ｄにより閉塞されており、長手方向両端部からの光漏れを防止している。
【００２６】
上述した照明器具Ａでは、１本の蛍光ランプ４に対して複数（本実施形態では２枚）の分割セード３ａを用いた場合を例に説明したが、各分割セード３ａを１本の蛍光ランプ４に対応する長さ寸法に形成し、一直線上に配設された複数の蛍光ランプ４に対してそれぞれ分割セード３ａを対応させた照明器具であってもよい。この場合も上述した照明器具Ａと同様に、連結金具６を用いることによって隣接する分割セード３ａ同士を一体的に連結固定することができるので、一体化させたセード３を器具本体に取付けるだけでよく、セード３の器具本体への取付作業性を向上させることができる。また、分割セード３ａにおいて、他の分割セード３ａが連結されない場合に、他の分割セード３ａが連結されない側の端部にエンドキャップ１３を装着することによって、照明器具の外観を向上させることができる。
【００２７】
尚、本実施形態では、２枚の分割セード３ａを用いた場合を例に説明したが、分割セード３ａの枚数は本実施形態に限定されるものではなく、適用する照明器具の大きさなどに応じて適宜変更してもよい。また、セード３の材料についても金属製のものに限定されるものではなく、また透光性を有するものであってもよい。さらに、セード３の形状についてもＬ字型のものに限定されるものではなく、例えば横長の板状のセードを用い、上下配光の照明器具としてもよい。また、連結金具６の形状についても本実施形態に限定されるものではなく、セードの形状に合わせて適宜設計すればよい。
【図面の簡単な説明】
【００２８】
【図１】（ａ）、（ｂ）は本実施形態の照明器具に用いられる分割セードと連結金具とを連結固定する手順を説明する説明図である。
【図２】同上の分解斜視図である。
【図３】同上に用いられる連結金具を示し、（ａ）は斜視図、（ｂ）はＤ方向から見た正面図である。
【図４】（ａ）、（ｂ）は同上に用いられる分割セードと連結金具との連結状態を説明する説明図である。
【図５】（ａ）、（ｂ）は同上に用いられるエンドキャップを分割セードに装着する手順を説明する説明図である。
【符号の説明】
【００２９】
１    ボディ
２    カバー
３    セード
３ａ  分割セード
４    蛍光ランプ
６    連結金具（連結部材）
Ａ    照明器具
【図１】
2009004187.tif 000003
【図２】
2009004187.tif 000004
【図３】
2009004187.tif 000005
【図４】
2009004187.tif 000006
【図５】
2009004187.tif 000007